(57)【要約】      （修正有）【課題】反射面が多く、光を反射させる確率が非常に高く、どの位置どの角度からでも確実にドライバー等に認識させることが出来、安全性を高めた傘を提供する。【解決手段】傘生地の末端部分に表裏の両面に再帰反射材１ａ、１ｂを取り付け、外側、内側の光の反射を容易にしたため、あらゆる角度からの光を反射させることが出来、傘がどの方向を向いても、ドライバー等に光の反射を的確に確認させ，安全なものとしている。【選択図】図３
0003109718.tif 000002
【実用新案登録請求の範囲】
【請求項１】
傘生地の端に再帰反射材を取り付け、車両等のライトで光を反射させる。特に反射面を、表と裏の両面反射にすることにより、傘の外側と内側の両方が光る為、傘がどの様な向きになっても、ドライバー等からの確認が容易に出来るようになったことが特徴である。
【請求項２】
傘纏め帯にも両面が反射する再帰反射材を取り付けることにより、一層安全性を高めたものである。
【考案の詳細な説明】
【技術分野】
【０００１】本考案は、傘の外側や内側の、どの角度でも光を反射させ、ドライバー等から、遠くからでも容易に確認出来る、安全な傘である。
【背景技術】
【０００２】従来の反射する傘は一方向のみの反射であり、角度によっては全く反射しにくいものであり、ドライバー等から認識されづらいものであった。【０００３】傘に夜光塗料を塗布したり、蛍光物質を混ぜたりしたものがあったが、反射が認識されづらいものであった。【０００４】石突や露先や持手に再帰反射材を巻きつけたものがあったが、反射面が小さすぎて確認しにくい。【０００５】再帰反射材を傘生地に取り付けてはいるが、片側しか反射せず、角度によっては、ドライバー等から認識されることが少ない。
【考案の開示】
【考案が解決しようとする課題】
【０００６】従来の再帰反射材付傘であれば傘の角度により、ドライバー等から認識されないことがあった。【０００７】従来有していた問題点は、小雨や横なぶりの雨等、傘の位置が確定されない場合等において、最も確認しづらいものであった。
【課題を解決するための手段】
【０００８】本考案は両面共再帰反射材を用いることにより，あらゆる角度からでも的確に光を反射させることが出来るものである。【０００９】光の反射効率を確かなものにするため、傘生地の端に途切れなく両面の再帰反射材を取り付けることにより、傘をどんな角度にしても、確認できる。
【考案の効果】
【００１０】この考案は反射面が多く、光を反射させる確率が非常に高く、どの位置どの角度からでも確実にドライバー等に認識させることが出来、安全性を高めた傘である。【００１１】例えば前方からの光により，傘の前方外側や後方内側が反射し、又後方からの光ににより、傘の後方外側と前方内側が反射する。同じことが横や斜め等でもおこる。どちらか一方が反射しづらい角度でも、どこかの面が反射してくれるわけであるし、手に持っている傘は微妙に動いているので、光の反射は、かなりドライバー等に、注意を促がすものである。【００１２】トラックやバス等、座席の高い車両には、傘の外側の再帰反射材が有効で、又タクシーや普通乗用車等、座席の低い車両等には傘の内側の再帰反射材が有効である。
【考案を実施するための最良の形態】
【００１３】本考案の実施形態を図１から図３に基づいて説明する。【００１４】図１、２、３においては、傘生地の先端部分、全てに再帰反射材を取り付け１ａと２の部分は両面再帰反射材を用いている。【００１５】再帰反射材は撥水加工を施しており、雨に濡れても防水性に優れ、老化しづらく、反射機能も低下しづらく、又耐久性にも優れている。
【図面の簡単な説明】
【００１６】
【図１】本考案の上部からの全体図
【図２】本考案の側面図
【図３】本考案の斜視図
【符号の説明】
【００１７】１ａ  再帰反射材外側
１ｂ  再帰反射材内側
２    両面再帰反射材による傘纏め帯
３    傘生地
４    露先
５    石突
６    親骨
７    持手
【図１】
0003109718.tif 000003
【図２】
0003109718.tif 000004
【図３】
0003109718.tif 000005
【手続補正書】
【提出日】平成16年12月22日(2004.12.22)
【手続補正１】
【補正対象書類名】実用新案登録請求の範囲
【補正対象項目名】全文
【補正方法】変更
【補正の内容】
【実用新案登録請求の範囲】
【請求項１】
傘生地の外周全ての面の端の表裏両面に再帰反射材を取り付け光を反射させる両面反射材付安全傘。
【請求項２】
傘の纏め帯の表裏両面に再帰反射材を取り付け、光を反射させる両面反射材付安全傘。
【手続補正２】
【補正対象書類名】明細書
【補正対象項目名】全文
【補正方法】変更
【補正の内容】
【考案の詳細な説明】
【技術分野】
【０００１】本考案は、傘生地の外周全ての面の端の表裏両面と、傘纒め帯の表裏両面に再帰反射材を取り付け、どの角度からでも光を反射させ、周りや、遠くからでも容易に確認出来る安全性を高めた傘。
【背景技術】
【０００２】従来の反射する傘は、傘生地の表裏どちらか片側だけにしか取り付けておらず、角度によっては全く反射せず、周りや遠くから確認されづらい傘であった。【０００３】傘に夜光塗料を塗布したり、蛍光物質を混ぜたりした傘があったが、周りや遠くから認識されづらい傘であった。【０００４】石突や露先や持手に再帰反射材を巻きつけた傘があったが、反射面が小さすぎて確認しにくい。
【考案の開示】
【考案が解決しようとする課題】
【０００５】従来の再帰反射材付傘であれば傘の角度により、周りや遠くから認識されないことがあった。【０００６】従来有していた問題点は、小雨や横なぶりの雨で、傘の位置が安定しない場合等において、最も確認しづらい傘であった。
【課題を解決するための手段】
【０００７】本考案は傘生地の外周全ての面の端の表裏両面に再帰反射材を用いることにより、あらゆる角度からでも的確に光を反射させることが出来る傘である。【０００８】傘の纒め帯の表裏にも再帰反射材を使用し、より認識性や安全性を高めた傘である。
【考案の効果】
【０００９】この考案は光の反射面が多い為、傘をどの角度で持っても、確実に光を反射させることが可能なので、周囲や遠くからの認識力が高い為、とても安全性の高い傘である。【００１０】例えば前方からの光により，傘の前方外周表側や後方外周裏側が反射し、又後方からの光により、傘の後方外周表側や前方外周裏側が反射し、又同様に横や斜めからの光に対しても同様の効果をもたらし、安全性を向上させている。【００１１】トラックやバス等、座席の高い車両には、傘生地端外周の再帰反射材が有効で、又タクシーや普通乗用車等、座席の低い車両には傘生地端外周裏側の再帰反射材が有効である。
【考案を実施するための最良の形態】
【００１２】本考案の実施形態を図１から図３に基づいて説明する。【００１３】図３に於いて１ａ部分が再帰反射材の表側、１ｂ部分が再帰反射材の裏側として記している。【００１４】図１，２，３，において２部分が傘纒め帯で、表裏両面に再帰反射材を取り付けているので、ねじれても、傘をたたんでいる時でも必ず光を反射させることが出来る。【００１５】図１及び図２の１ａ部分の外周全ての面の端の表裏と、２の部分傘纏め帯の表裏両面に再帰反射材を取り付けている。【００１６】図３においては，傘生地の外周全ての面の端の表部分１ａ、及び外周全ての面の端の裏部分１ｂと、傘纒め帯２の表裏に再帰反射材を取り付けている。【００１７】再帰反射材は撥水加工を施しており、雨に濡れても防水性や耐久性に優れ反射機能も低下しにくい。【００１８】以上の様に、この傘は雨が降っている時では、１ａ、１ｂ、２、が光を反射し、傘をたたんでいる時でも１ａと２が光を反射するので周囲や遠くからでも、常に確認が容易に出来るので、非常に安全性を高めた、両面反射材付安全傘である。
【図面の簡単な説明】
【００１９】
【図１】本考案の上部からの全体図
【図２】本考案の側面図
【図３】本考案の斜視図
【符号の説明】
【００２０】１ａ  再帰反射材表側
１ｂ  再帰反射材裏側
２  両面再帰反射材による傘纏め帯
３  傘生地
４  露先
５  石突
６  親骨
７  持手